(57)【要約】      （修正有）【課題】きわめて簡単に手の指にマニキュアを、足の指にペディキュアをすることができるようなボトルの支持装置を提供する。【解決手段】基材１１の表面に、垂直より僅かに傾斜するようにして支持軸２１を設け、前記支持軸には、液材を収納したボトルａの挟持装置３１として、２枚の挟持片３２を回動可能に枢着し、バネ部材３５により両挟持片の各挟持部を押圧するように付勢し、挟持部にマニキュア用もしくはペディキュア用のボトルを挟んで支持する。【選択図】図１
2012179217.tif 000002
【特許請求の範囲】
【請求項１】
基材の表面に、垂直より僅かに傾斜するようにして支持軸を設け、前記支持軸には、液材を収納したボトルの挟持装置を回動可能に取り付けてなるボトルの支持装置。
【請求項２】
前記ボトルの挟持装置は、挟持部と操作部とを有する２枚の挟持片を支持軸で回動可能に枢着し、バネ部材により両挟持片の各挟持部が押圧するように付勢してなる請求項１に記載のボトルの支持装置。
【請求項３】
前記ボトルは、マニキュア用、もしくはペディキュア用のボトルである請求項１または２に記載のボトルの支持装置。
【発明の詳細な説明】
【技術分野】
【０００１】
本発明は、主に女性が使用するマニキュア用、若しくはペディキュア用のボトルを垂直状態から僅かに傾斜するようにして支持させるようにしたボトルの支持装置に関するものである。
【背景技術】
【０００２】
手の爪にマニキュアを塗る場合、若しくは足の爪にペディキュアを塗る場合には、一般的には塗布する者が片方の手でボトルを保持するとともに他方の手の指で塗布具を掴み、塗布具の先端の刷毛部分をボトルに挿入してマニキュアやペディキュアの液を染み込ませたら、刷毛部分をボトルから抜き出して手や足の爪に塗るのである。
しかし、このマニキュアの塗布方法では、塗布具の筆が不安定であるから、ボトルから多量の液を付着させたり、手や足の爪以外の指先部分にもマニキュアを塗布してしまうことがある。
【０００３】
そこで、上記した従来の方法を改良するため、マニキュアボトルを斜めに支えて使用するマニキュア用スタンドが提案されている。
【先行技術文献】
【特許文献】
【０００４】
【特許文献１】特開２００５−１１８１１９号公報
【発明の概要】
【発明が解決しようとする課題】
【０００５】
しかし、前記した従来のスタンドを使用したマニキュア、ペディキュアの塗布方法であっても、使用時にマニキュアのボトルが固定されていないので不安定であり、転がってスタンドから落下するとテーブル、床等の周辺を液で汚損することになる。また、ボトルが回転したり遊動するので、キャップに設けてある軸やその先端の刷毛部分に多量のマニキュア液やペディキュア液が染み込むので、爪に塗布すると多量の液が付着して無駄に消費するばかりでなく乾燥しにくくなり、しかも爪部分以外の指先にも付着するので、利用者にとってきわめて使い勝手が悪いものである。
したがって本発明は、マニキュアボトルを使用時にきわめて安定に支えるとともに、使い勝手がきわめて良好な特にマニキュアやペディキュア用のボトルの支持装置を提供することを目的とする。
【課題を解決するための手段】
【０００６】
（第１発明）
前記目的を達成させるため、本発明の請求項１に記載の発明は、基材の表面に、垂直より僅かに傾斜するようにして支持軸を設け、前記支持軸には、液材を収納したボトルの挟持装置を回動可能に取り付けてなるボトルの支持装置に関するものである。
【０００７】
（第２発明）
また本発明の請求項２に記載の発明は、前記ボトルの挟持装置は、挟持部と操作部とを有する２枚の挟持片を支持軸で回動可能に枢着し、バネ部材により両挟持片の各挟持部が押圧するように付勢してなる構成である。
【０００８】
（第３発明）
また本発明の請求項３に記載の発明は、前記ボトルは、マニキュア用、もしくはペディキュア用のボトルである構成である。
【発明の効果】
【０００９】
本発明によれば、適量のマニキュア液、ペディキュア液を筆に染み込ませてボトルから取り出すことができるので、女性が誤って多量の液を取り出すことがなく、またきわめて簡単な操作で、確実に指の爪にマニキュアを、足の爪にペディキュアをすることができる。
【図面の簡単な説明】
【００１０】
【図１】本発明の挟持装置の斜視図である。
【図２】図１の挟持装置のボトルを挟持した状態の概略側面図である。
【図３】挟持装置の平面図である。
【図４】一方の挟持片の内面図である。
【発明を実施するための形態】
【００１１】
以下に本発明を図面に示す実施の態様に基づいて説明する。
図１は本発明のボトルの支持装置の使用状態の概略状態の斜視図、図２は図１の側面図、図３は挟持装置の平面図、図４は挟持片の正面図である。
本発明のボトルの支持装置１は、基材１１の表面に垂直状態より僅かに傾斜するようにして支持軸２１を設け、前記支持軸２１にボトルの挟持装置３１を回動可能に取り付けてなる構成である。
【００１２】
前記基材１１は、図面の実施例によれば平板状であるが、上面が平坦であれば筺枠状その他どのような構成であってもよいし、テーブル状のものであってもよい。
【００１３】
前記基材１１の表面には、前記支持軸２１を立設する。
上記支持軸２１は、基材１１に対して垂直に立設させるのではなく、僅かに傾斜するようにしてある。その理由は後記するが、前記支持軸２１に挟持装置３１を取り付ける。
【００１４】
前記挟持装置３１は、挟持片３２と、前記挟持片３２に一体的に連続する操作片３３とを設けた横長な板状片３４を２枚対向させて傾斜する前記支持軸２１に枢着し、左右の対向する挟持片３２の先端部分を、前記支持軸２１の傾斜によって前記基材１１の表面に接近状にしてなるものである。
【００１５】
前記支持軸２１には、左右の挟持片３２、３２の先端が押圧して閉止するように付勢するコイルスプリング３５（図３、図４参照）を設けるとともに、各挟持片３２の対向する内面にはゴム、軟質樹脂などからなるクッション材３６を設ける。
【００１６】
したがって、離隔している左右の操作片３３を接近するように指先で押圧すると、支持軸２１を中心にして両板状片３４が回動し、各挟持片３２が左右に開くので対向する内部にボトルａを嵌め付けることができる。そして、両操作片３３の押圧力を離すとコイルスプリング３５の付勢で各挟持片３２が閉じる方向に付勢されるのでボトルａを左右から強く挟持することができる。
また各挟持片３２の対向する内面にはゴム、軟質樹脂などからなるクッション材３６を設けると、ボトルａを安定して保持することができる。
【００１７】
以上で明らかなように、両操作片３３を接近するように指先で押圧して各挟持片３２を開かせながら対向間隔の内部にボトルａを嵌め込み、指先による各操作片３３の押圧力を放すとスプリング３５の付勢で両挟持片３２のクッション材３６がボトルａを強固に挟み付けて支持することができる。
このため、両挟持片３２に挟み付けられているボトルａは支持軸２１と平行に傾斜するので、ボトル内部の液がマニキュア用、ペディキュア用であれば使用者にとって利用しやすい状態となり、特に使用する女性は無理なく、先端の筆部分に適量の液を含ませてマニキュアをしたりペディキュアをすることができる。
【００１８】
以上本発明を図面に示す実施の態様に基づいて説明したが、本発明は前記実施の態様に限定されるものではなく、特許請求の範囲に記載の構成を変更しない限りどのようにでも実施することができる。
例えば、基材１の表面に、薄いゴム板若しくは軟質樹脂マットからなる厚手のシート材を両挟持片３２の先端位置に貼設すると、ボトルａの底面や角挟持片３２の先端部分に接触するので、その部分を保護することができる。
【符号の説明】
【００１９】
１    支持装置
１１    基材
２１    支持軸
３１    挟持装置
３２    挟持片
３３    操作片
３４    板状片
３５    コイルスプリング
３６    クッション材
ａ    ボトル
【図１】
2012179217.tif 000003
【図２】
2012179217.tif 000004
【図３】
2012179217.tif 000005
【図４】
2012179217.tif 000006